(57)【特許請求の範囲】
【請求項１】
撮像された１画像の画像データが記録される画像データ部とヘッダ部で構成された画像ファイルと、音声データが記録される音声データ部とヘッダ部で構成された音声ファイルとを同時に記録媒体に記録できるディジタルカメラにおいて、
前記音声データを予め定めた第１の時間記録する音声メモリと、
シャッタ押下時に前記音声メモリに記録されている音声データを前記音声ファイルとして前記画像ファイルと共に前記記録媒体に記録する記録手段とを備え、
前記画像ファイルのヘッダ部が、シャッタ押下時の撮影モードが記録されるモード記録部と、シャッタ押下時に前記画像ファイル共に前記記録媒体に記録される音声ファイルのファイル名が記録される対応ファイル記録部と、連写撮影時に次に記録される画像ファイルのファイル名が記録される次ファイル記録部とを有し、前記音声ファイルの前記ヘッダ部が、シャッタ押下時の撮影モードが記録されるモード記録部と、シャッタ押下時に前記音声データ共に前記記録媒体に記録される画像ファイルのファイル名が記録される対応ファイル記録部と、連写撮影時に次に記録される画像ファイルのファイル名が記録される次ファイル記録部とを有する
ことを特徴とするディジタルカメラ。
【請求項２】
前記第１の時間を可変できるようにしたことを特徴とする請求項１記載のディジタルカメラ。
【請求項３】
前記音声メモリに記録される音声データがシャッタ押下時より前の第１の時間または前後の第１の時間の音声データであることを特徴とする請求項１または２記載のディジタルカメラ。
【請求項４】
前記画像データの記録が連写の場合は前記音声メモリに記録する音声データを前記連写の時間間隔と等しい第２の時間の音声データであることを特徴とする請求項１，２または３記載のディジタルカメラ。
【請求項５】
前記画像データの記録が連写の場合、最初の画像データに対応する音声データをシャッタ押下より前の第１の時間の音声データを記録させるようにしたことを特徴とする請求項４記載のディジタルカメラ。
【請求項６】
前記画像データの記録が連写の場合、最後の画像データに対応する音声データをシャッタ押下解除後の第１の時間の音声データも記録させるようにしたことを特徴とする請求項４または５記載のディジタルカメラ。
【請求項７】
前記第１の時間が第２の時間より大であることを特徴とする請求項１乃至６のいずれかに記載のディジタルカメラ。
【発明の詳細な説明】
【０００１】
【発明の属する技術分野】
本発明は撮像画像データと音声データとを同時に記録媒体に記録できるディジタルカメラに関する。
【０００２】
【従来の技術】
近年、撮像画像データとこの画像データに対するコメント等の音声データを記録することができるディジタルカメラが開発されている。
しかし、このようなディジタルカメラにおいては音声データは撮像時に同時に得られたものではなく、撮像画像記録後に所定時間コメント等を録音させ、撮像画像データと関連付けて記録媒体に記録させている。
【０００３】
【発明が解決しようとする課題】
本発明は撮像時に同時に得られる音声データを撮像画像データと共に記録媒体に記録できるようにしたディジタルカメラを提供することを課題とする。
【０００４】
【課題を解決するための手段】
請求項１の発明においては、撮像された１画像の画像データが記録される画像データ部とヘッダ部で構成された画像ファイルと、音声データが記録される音声データ部とヘッダ部で構成された音声ファイルとを同時に記録媒体に記録できるディジタルカメラにおいて、
前記音声データを予め定めた第１の時間記録する音声メモリと、
シャッタ押下時に前記音声メモリに記録されている音声データを前記音声ファイルとして前記画像ファイルと共に前記記録媒体に記録する記録手段とを備え、
前記画像ファイルのヘッダ部が、シャッタ押下時の撮影モードが記録されるモード記録部と、シャッタ押下時に前記画像ファイル共に前記記録媒体に記録される音声ファイルのファイル名が記録される対応ファイル記録部と、連写撮影時に次に記録される画像ファイルのファイル名が記録される次ファイル記録部とを有し、前記音声ファイルの前記ヘッダ部が、シャッタ押下時の撮影モードが記録されるモード記録部と、シャッタ押下時に前記音声データ共に前記記録媒体に記録される画像ファイルのファイル名が記録される対応ファイル記録部と、連写撮影時に次に記録される画像ファイルのファイル名が記録される次ファイル記録部とを有する。
【０００５】
請求項２の発明においては、前記第１の時間を可変できるようにする。
請求項３の発明においては、前記音声メモリに記録される音声データがシャッタ押下時より前の第１の時間または前後の第１の時間の音声データとする。
請求項４の発明においては、撮像画像データの記録が連写の場合は前記音声メモリに記録する音声データを前記連写の時間間隔と等しい第２の時間の音声データとする。
【０００６】
請求項５の発明においては、前記撮像画像データの記録が連写の場合、最初の画像データに対応する音声データをシャッタ押下より前の第１の時間の音声データを記録させる。
【０００７】
請求項６の発明においては、前記撮像画像データの記録が連写の場合、最後の画像データに対応する音声データをシャッタ押下解除後の第１の時間の音声データも記録させる。
請求項７の発明においては、前記第１の時間が第２の時間より大にする。
【０００８】
【発明の実施の形態】
本発明の実施の形態を図１〜図７を参照して説明する。図１は本発明の実施例の構成図、図２〜図４は同実施例の記録時の動作フローチャート、図５は同実施例の再生時の動作フローチャート、図６はメモリカードの構成図、図７はＦＡＴの一例、図８はルートディレクトリの説明図、図９はファイルの構成図である。
【０００９】
図１において、１は被写体を撮像してディジタル画像データを出力する撮像部、２は画像データを記録する画像メモリ、３はマイクロホーンに入力された音声信号をディジタル音声データに変換して出力する音声入力部、４は音声データを記録する音声メモリ、５は画像データを圧縮または伸張する画像圧縮伸張部、６は音声データを圧縮または伸張する音声圧縮伸張部、７はファイル作成部、８は圧縮された画像データおよび音声データを画像ファイルおよび音声ファイルとして記録する記録媒体としてのメモリカード、９は表示部、１０はスピーカ、１１は操作部、１２は制御部、１３および１４はインタフェース（Ｉ／Ｏ）、１５は処理を行うプロセッサ（ＣＰＵ）である。
【００１０】
音声メモリ４の記録容量は音声入力部３より出力される例えば１０秒間の音声データが記録できる容量のものが用いられる。
メモリカード８へのデータの記録は例えばＭＳ−ＤＯＳ方式によって記録される。
【００１１】
ＭＳ−ＤＯＳ方式では、メモリカード８の記録領域を、図６に示される領域に分割されて記録される。
すなわち、セクタ領域８Ａには記録媒体の物理的な記録最小単位であるセクタサイズ、クラスタ当たりのセクタ数、ＦＡＴ（File Allocation Table ）等のＤＯＳ管理に必要なパラメータが記録されている。
【００１２】
ＦＡＴ８Ｂにはクラスタの使用状況が記録されている。
ルートディレクトリ領域８Ｃには、図８で示されるように、データ領域８Ｄに記録された各画像ファイルのファイル名、属性、予約領域、記録時刻、記録日時、開始クラスタ番号、ファイルサイズ等が記録される。
【００１３】
図７はＦＡＴ８Ｂの記録例を示す。
ＦＡＴ８Ｂのアドレス番号はデータ領域８Ｄのクラスタ番号に対応しており、クラスタ番号に対応するクラスタの使用状況が記録される。
図７に示されるように、使用状況が「０００」は未記録、「ＦＦＦ」は最終データを記録したクラスタであることを示し、「０００」および「ＦＦＦ」以外の記録は次に続いて記録されているクラスタ番号が記録されている。
【００１４】
したがって、図８で示したルートディレクトリの開始クラスタ番号が「０００」である画像ファイルはクラスタ番号「０００」〜「００４」、「００６」および「００７」のクラスタに記録されていることを示している。
【００１５】
そこで、データ領域８Ｄに記録されているデータを読出すには、先ずルートディレクトリ領域８Ｃに記録されているファイル名をサーチし、開始クラスタ番号を読出し、読出したクラスタ番号に対応するデータ領域８Ｄのクラスタより記録されているデータを読出し、ＦＡＴの記録が「ＦＦＦ」となるクラスタまで順次読出す。
【００１６】
また、新たなファイルデータを記録するときは、ＦＡＴ８Ｂの先頭アドレスより順次サーチし、使用状況が「０００」、すなわち未記録のクラスタを見出し、見出したクラスタにファイルデータを記録する。
【００１７】
したがって、図７の場合は、クラスタ番号「００５」、「００８」、「００９」、「００１２」、…のクラスタに順次新しいファイルデータが記録される。
また撮像された１画像の画像データを構成する画像ファイルは、図９に示されるように、ヘッダ部と画像データ部で構成される。
【００１８】
画像データ部には撮像された画像データが記録され、ヘッダ部には画像データ部に記録された画像データに対する特記事項および画像データの圧縮時の圧縮パラメータ等が記録される。
【００１９】
またヘッダ部には独自の情報を記録するメーカノート部が設けられており、本発明においては、後で説明するモード記録部、対応ファイル記録部および次ファイル記録部が設けられている。
【００２０】
つぎに、図２〜図４を参照して、画像データの記録時の動作を説明する。
操作部１１の図示しない電源スイッチがＯＮになるとステップＳ１に移り、撮像部１が動作し、被写体が撮像され、ステップＳ２に移って撮像された画像データが画像メモリ２に記録される。
【００２１】
ステップＳ３では、例えば、後で説明する連写時の撮像時間間隔に対応する第２の時間としてのＴ1 時間が経過したか否かが判定され、判定がＹＥＳの場合はステップＳ１に移り、ステップＳ１〜Ｓ３が繰返される。
【００２２】
また判定がＮＯの場合はステップＳ４に移り、操作部１１の図示しないシャッタボタンが押下されたか否かを判定し、判定がＮＯの場合はステップＳ３に移り、ステップＳ３およびＳ４が繰返される。
【００２３】
またステップＳ４でシャッタボタンが押下されたと判定されたときはステップＳ７に移る。
また、ステップＳ１〜Ｓ４と平行して、ステップＳ５およびＳ６が実行され、ステップＳ５では音声入力部３より音声データが出力され、ステップＳ６に移って、出力された音声データを音声メモリ４にサイクリックに順次記録される。
【００２４】
すなわち、音声データは音声メモリ４の先頭アドレスより順次記録され、最後のアドレスに対応するメモリにデータ記録されたときは、次のデータは音声メモリ４の先頭のアドレスに帰って以後順次音声データが記録される。
【００２５】
ステップＳ４でシャッタが押下されたと判定されたときステップＳ７に移り、設定されているモードの判定を行う。
すなわち、本実施例の場合は、使用者が予め操作部１１を操作して、静止画のみを記録する静止モード、静止画と音声データを共に記録する静止＋音声モード、連写画のみを記録する連写モードおよび連写画と音声データを共に記録する連写＋音声モードの４モードの中の１モードが使用者によって設定されている。
【００２６】
ステップＳ７では、上記のモードのどのモードが設定されているかを判定し、静止モードの場合はステップＳ８に、静止＋音声モードの場合はステップＳ１２に、連写モードの場合はステップＳ１８に、また連写＋音声モードの場合はステップＳ２４に移る。
【００２７】
静止モードと判定された場合はステップＳ８に移り、画像圧縮伸張部５に指令してステップＳ２で画像メモリ２に記録された画像データの圧縮を行わせる。
ステップＳ９ではファイル作成部７はヘッダ部を作成し、作成したヘッダ部にステップＳ８で圧縮した画像データを連結して画像ファイルを作成する。なおヘッダ部には図９で説明したファイルへのヘッダ部のモード記録部には「静止モード」が記録される。
【００２８】
ステップＳ１０ではステップＳ９で作成された画像ファイルに対するルートディレクトリを作成して記録し、ステップＳ１１に移って作成されたルートディレクトリに基づいて画像ファイルのデータをメモリカード８に記録し、記録が終了するとステップＳ１に移る。
【００２９】
またステップＳ７で静止＋音声モードと判定されたときはステップＳ１２に移り、前述した静止モードにおけるステップＳ８およびＳ９と同様な画像データの圧縮および画像ファイルの作成する処理であるステップＳ１２およびＳ１３が行われる。
【００３０】
また平行してステップＳ１４およびＳ１５の処理が行われ、ステップＳ１４では音声メモリ４に記録されているシャッタ押下前の第１の時間としてのＴ2 時間記録されている音声データを音声圧縮伸張部６で圧縮させ、ステップＳ１５に移って音声ファイルを作成する。この音声ファイルの作成では、画像ファイルの作成と同様に、ヘッダ部を作成し、作成したヘッダ部にステップＳ１４で圧縮した音声データを連結する。
【００３１】
なおステップＳ１４での音声データの圧縮をシャッタ押下前後のＴ2 時間の音声データを圧縮するようにしてもよい。
また音声データを圧縮しない場合は音声メモリ４に記録されているＴ2 時間の音声データより音声ファイルを作成するようにしてもよい。
【００３２】
またステップＳ１３での画像ファイルの作成時には、図９で説明したファイルのヘッダ部のモード記録部には「静止＋音声モード」が記録され、対応ファイル記録部にはステップＳ１５で作成された音声ファイルのファイル名が記録される。
【００３３】
また、同様にステップＳ１５での音声ファイル作成時には、図９で説明したヘッダ部のモード記録部には「静止＋音声モード」が記録され、対応ファイル記録部にはステップＳ１３で作成された画像ファイルのファイル名が記録される。
【００３４】
ステップＳ１６では、ステップＳ１３で作成された画像ファイルに対するルートディレクトリおよびステップＳ１５で作成された音声ファイルに対するルートディレクトリが作成されてメモリカード８に記録され、ステップＳ１７に移って、ルートディレクトリに基づいて画像ファイルおよび音声ファイルのデータをメモリカード８に記録し、記録が終了するとステップＳ１に移る。
なお、音声データを記録する時間Ｔ2 を操作部１１より入力することによって可変できるようにしてもよい。
【００３５】
またステップＳ７で連写モードと判定された場合はステップＳ１８に移り、静止モードで説明したステップＳ８〜Ｓ１１と同様な処理であるステップＳ１８〜Ｓ２１が実行されてステップＳ２２に移る。
【００３６】
ステップＳ２２では、シャッタ押下が解除されたか否か、すなわち、連写停止が入力されたか否かを判定し、判定がＹＥＳの場合はステップＳ１に移る。
またステップＳ２２での判定がＮＯ、すなわち連写続行の場合は、次の撮像記録時間間隔であるＴ1 時間経過するまで待機し、ステップＳ１８に移ってステップＳ１８〜Ｓ２３が繰返される。
【００３７】
なおステップＳ１９での画像ファイル作成時には、画像ファイルのヘッダ部に、図９で説明したモード記録部には「連写モード」が、また次ファイル記録部には次に記録される画像ファイルのファイル名が記録される。
【００３８】
またステップＳ７での判定が連写＋音声モードと判定されたときはステップＳ２４に移り、静止＋音声モードで説明したステップＳ１２〜Ｓ１７と同様な処理であるステップＳ２４〜Ｓ２９が行われ、ステップＳ３０に移る。
【００３９】
ステップＳ３０ではシャッタ押下が解除されたか否かが判定され、判定がＹＥＳの場合はステップＳ１に移る。また判定がＮＯの場合はＴ1 時間経過するまで待機し、ステップＳ２４に移って、ステップＳ２４〜Ｓ３１が繰返される。
【００４０】
なおステップＳ２６での音声データの圧縮は最初の画像データに対する音声データはシャッタ押下前のＴ2 時間の音声データを圧縮し、続く連写画像データに対する音声データは連写画像データの間隔と同じ時間であるＴ1 時間の音声データを圧縮する。
【００４１】
また最後の連写の画像データに対する音声データは、シャッタ押下解除前のＴ1 時間に続けて、解除になった時刻より例えばＴ2 時間のＴ1 ＋Ｔ2 時間の音声データを圧縮させるようにしてもよい。
【００４２】
またステップＳ２５における画像ファイル作成時にはヘッダ部に、図９で説明したヘッダ部のモード記録部には「連写＋音声モード」が、対応ファイル記録部にはステップＳ２７で作成された音声ファイルのファイル名が、また次ファイル記録部には次に作成された画像ファイルのファイル名が記録される。
【００４３】
また同様にして、ステップＳ２７で作成された音声ファイルのヘッダ部のモード記録部には「連写＋音声モード」が、対応ファイル記録部にはステップＳ２５で作成された画像ファイルのファイル名が、また次ファイル記録部には次の音声ファイルのファイル名が記録される。
【００４４】
つぎに、図５を参照して、メモリカード８に記録されている画像データの再生動作を説明する。
ステップＳ４０では、使用者は操作部１１より再生しようとする画像ファイル名を入力する。
【００４５】
ステップＳ４１では、ルートディレクトリをサーチし、ステップＳ４０で入力された画像ファイル名が記録されたルートディレクトリを検索する。検索されたルートディレクトリの開始セクタ番号に対応するセクタに記録されている画像ファイルデータをメモリカード８のデータ領域より読出す。
【００４６】
ステップＳ４２では、読出した画像ファイルデータを画像圧縮伸張部６で伸張し、画像メモリ４に展開し、ステップＳ４３に移って表示部９に表示する。
ステップＳ４４では、ステップＳ４１で読出した画像ファイルのヘッダ部のモード記録部の記録が、「静止＋音声モード」または「連写＋音声モード」であるか否か、すなわち音声データ付であるか否かを判定し、判定がＮＯの場合はステップＳ４８に移る。
【００４７】
また判定がＹＥＳの場合はステップＳ４５に移り、ヘッダ部の対応ファイル記録部に記録されている音声ファイル名を読出し、読出した音声ファイル名が記録されているルートディレクトリを検索し、検索されたルートディレクトリに記録されている開始セクタ番号に対応するセクタに記録されている音声ファイルのデータをメモリカード８より読出す。
【００４８】
ステップＳ４６では、読出した音声ファイルデータを音声圧縮伸張部６で伸張し音声メモリ４に記録する。
ステップＳ４７では、音声メモリ４に記録された音声データを規定のタイミングで読出してアナログ値に変換し、スピーカ１０より出力する。
【００４９】
ステップＳ１０よりの音声信号の出力が終了するとステップＳ４８に移り、ステップＳ４１で読出した画像ファイルのヘッダ部のモード記録部が「連写モード」または「連写＋音声モード」であるか否かを判定し、判定がＮＯの場合は再生動作を終了する。
【００５０】
また判定がＹＥＳの場合はステップＳ４９に移り、連写における最後の画像であるか否かを判定し、すなわちステップＳ４１で読出した画像ファイルのヘッダ部の次ファイル記録部の記録が最終ファイルであることを示す記録であるか否かを判定し、判定がＹＥＳの場合は再生動作を終了する。
【００５１】
また最終でない場合はヘッダ部の次ファイル記録部に記録されている画像ファイル名を操作者がステップＳ４１で入力したものとし、ステップＳ４１〜Ｓ４９が繰返される。
【図面の簡単な説明】
【図１】本発明の実施例の構成図である。
【図２】同実施例の記録時の動作フローチャートである。
【図３】同実施例の記録時の動作フローチャートである。
【図４】同実施例の記録時の動作フローチャートである。
【図５】同実施例の再生時の動作フローチャートである。
【図６】メモリカードの構成図である。
【図７】ＦＡＴの一例を示す図である。
【図８】ルートディレクトリの説明図である。
【図９】ファイルの構成図である。
【符号の説明】
１          撮像部
２          画像メモリ
３          音声入力部
４          音声メモリ
５          画像圧縮伸張部
６          音声圧縮伸張部
７          ファイル作成部
８          メモリカード
９          表示部
１０        スピーカ
１１        操作部
１２        制御部
１３，１４  インタフェース（Ｉ／Ｏ）
１５        プロセッサ（ＣＰＵ）
【図１】
0004272384.tif 000002
【図２】
0004272384.tif 000003
【図３】
0004272384.tif 000004
【図４】
0004272384.tif 000005
【図５】
0004272384.tif 000006
【図６】
0004272384.tif 000007
【図７】
0004272384.tif 000008
【図８】
0004272384.tif 000009
【図９】
0004272384.tif 000010